(57)【要約】【課題】対象物（例えば、照明装置のバッテリー）を邪魔にならない場所に装着することのできる衣類を提供すること。【解決手段】白衣１００は、後身頃２１２と、後身頃２１２に設けられた装着部２１３とを有する衣類本体２００と、バッテリー４２０を収納でき、かつ、装着部２１３に着脱自在に装着することのできるケース３００とを有している。また、装着部２１３は、後身頃２１２の腰部に設けられている。また、ケース３００は、装着部２１３に絡みつくことにより、装着部２１３に装着される。【選択図】図２
2014047453.tif 000002
【特許請求の範囲】
【請求項１】
後身頃と、
前記後身頃に設けられ、対象物を装着することのできる装着部と、を有する衣類本体を有することを特徴とする衣類。
【請求項２】
前記装着部は、前記後身頃の腰部または前記腰部よりも上方に設けられている請求項１に記載の衣類。
【請求項３】
前記対象物を収納でき、かつ、前記装着部に着脱自在に装着することのできるケースを有している請求項１または２に記載の衣類。
【請求項４】
前記ケースは、前記装着部に絡みつくことにより、前記装着部に装着される請求項３に記載の衣類。
【請求項５】
前記装着部には、面ファスナーの一方の片が設けられており、
前記ケースには、前記面ファスナーの他方の片が設けられている請求項４に記載の衣類。
【請求項６】
前記装着部には、引っ掛け部が設けられており、
前記ケースには、前記引っ掛け部に引っ掛けるフックが設けられている請求項３に記載の衣類。
【請求項７】
前記ケースは、滅菌処理されている請求項３に記載の衣類。
【発明の詳細な説明】
【技術分野】
【０００１】
本発明は、衣類、特に白衣に関するものである。
【背景技術】
【０００２】
近年、歯科治療では治療のさらなる精密さが求められており、精密な治療を行うために照明装置で治療箇所を照らしつつ、拡大鏡で治療箇所を見ながら治療を行うことが一般的に行われている。一般的な照明装置は、光を出射する本体と、本体に電源を供給するバッテリーと、本体とバッテリーとを接続するケーブルとを有し、使用時には、本体を頭部に装着し、バッテリーを白衣のポケット（胸ポケット、腰ポケット）に収納する。しかしながら、白衣のポケット（胸ポケット、腰ポケット）は、体の前方（前身頃）に設けられているため、このポケットにバッテリーを収納すると、治療の際にバッテリーの重みで白衣の前身頃の部分が過度に垂れさがったり、バッテリーが治療椅子などにぶつかったりして、治療の妨げとなる場合がある。
【発明の概要】
【発明が解決しようとする課題】
【０００３】
本発明の目的は、対象物（例えば、照明装置のバッテリー）を邪魔にならない場所に装着することのできる衣類を提供することにある。
【課題を解決するための手段】
【０００４】
このような目的は、下記（１）〜（７）の本発明により達成される。
（１）  後身頃と、
前記後身頃に設けられ、対象物を装着することのできる装着部と、を有する衣類本体を有することを特徴とする衣類。
【０００５】
（２）  前記装着部は、前記後身頃の腰部または前記腰部よりも上方に設けられている上記（１）に記載の衣類。
【０００６】
（３）  前記対象物を収納でき、かつ、前記装着部に着脱自在に装着することのできるケースを有している上記（１）または（２）に記載の衣類。
【０００７】
（４）  前記ケースは、前記装着部に絡みつくことにより、前記装着部に装着される上記（３）に記載の衣類。
【０００８】
（５）  前記装着部には、面ファスナーの一方の片が設けられており、
前記ケースには、前記面ファスナーの他方の片が設けられている上記（４）に記載の衣類。
【０００９】
（６）  前記装着部には、引っ掛け部が設けられており、
前記ケースには、前記引っ掛け部に引っ掛けるフックが設けられている上記（３）に記載の衣類。
（７）  前記ケースは、滅菌処理されている上記（３）に記載の衣類。
【発明の効果】
【００１０】
本発明によれば、対象物を収納したケースを衣類の背中に簡単に装着することができるため、作業中に対象物が邪魔になることがなく、円滑に作業を行うことができるようになる。
【図面の簡単な説明】
【００１１】
【図１】本発明の第１実施形態に係る衣類を示す平面図（背面図）である。
【図２】図１に示す衣類の使用状態の一例を示す平面図（背面図）である。
【図３】本発明の第２実施形態に係る衣類を示す平面図（背面図）である。
【発明を実施するための形態】
【００１２】
以下、本発明の衣類の好適な実施形態について、添付図面を参照しつつ説明する。
＜第１実施形態＞
図１は、本発明の第１実施形態に係る衣類を示す平面図（背面図）、図２は、図１に示す衣類の使用状態の一例を示す平面図（背面図）である。
【００１３】
図１に示す衣類１００は、例えば、歯科医師が歯科治療中に着用する白衣である（以下、「白衣１００」とも言う）。ただし、衣類１００としては、歯科治療用の白衣に限定されず、例えば、下着、Ｔシャツ、トレーナー、ジャンパー、制服、作業着等、後身頃を有する衣類であれば、いかなるものであってもよい。
【００１４】
白衣１００は、白衣本体２００と、白衣本体２００に着脱自在なケース３００とを有している。ケース３００に収納する対象物としては、特に限定されないが、例えば、照明装置のバッテリーが挙げられる。図２に示す照明装置４００は、治療箇所を照らすための光を出射する本体４１０と、本体４１０に電源を供給するバッテリー４２０と、本体４１０とバッテリー４２０とを接続するケーブル４３０とを有し、使用時には、本体４１０が使用者（例えば歯科医師）の頭部や、使用者が着用するメガネのフレームなどに装着される。
【００１５】
図１に示すように、白衣本体２００は、身頃２１０と、身頃２１０の左右に設けられた袖２２０、２３０と、身頃の首部に設けられた襟２４０とを有している。また、身頃２１０は、前身頃（図示せず）と、後身頃２１２と、後身頃２１２に設けられた装着部２１３とを有している。
【００１６】
白衣本体２００の装着部２１３を除く部分（身頃２１０、袖２２０、２３０および襟２４０）は、例えば、綿、麻等の天然繊維、ナイロン、ポリエステル、アクリル、トリアセテート、ポリウレタン等の合成繊維等からなる織物、編物などの生地から構成することができる。
【００１７】
装着部２１３としては、ケース３００を装着（固定）することができれば、特に限定されないが、本実施形態では面ファスナーのフック面（一方の片）を用いている。装着部２１３は、後身頃２１２の腰部（ウエスト）または腰部よりも上方（好ましくは、肩甲骨よりも下方）に、胴まわりに沿って延在して設けられている。このような領域は、背中の中でも着用者が手を回し易い箇所であるため、このような領域に装着部２１３を設けることにより、ケース３００を装着部２１３に装着し易くなる。また、このような領域に装着部２１３を設けることにより、着用者が椅子に座りながら治療をする際に、前記椅子の背もたれ（背板）と着用者との間にケース３００（バッテリー４２０）が挟まってしまうのを抑制することができる。そのため、ケース３００と背もたれとの接触が抑制され、着用者は、違和感なく治療を行うことができる。
【００１８】
一方のケース３００の構成としては、バッテリー４２０を収納することができれば、特に限定されないが、本実施形態では、収納部３１０と、収納部３１０の開口を開閉する蓋部３２０とを有している。また、収納部３１０には、装着部２１３と係合する係合部３３０が設けられており、装着部２１３と係合部３３０とが係合することにより、ケース３００が白衣本体２００に装着される。前述したように、装着部２１３が面ファスナーのフック面で構成されているため、係合部３３０を面ファスナーのループ面（他方の片）で構成するのが好ましい。このように、ケース３００を白衣本体２００に装着する手段として面ファスナーを用いることにより、白衣本体２００へのケース３００の着脱を簡単かつ確実に行うことができる。
【００１９】
ケース３００は、滅菌処理されているのが好ましい。また、ケース３００は、滅菌処理（例えば、オートクレーブ）が可能であり再利用可能であるのが好ましい。ケース３００に収納されるバッテリー４２０は、滅菌処理することができない場合が多いため、バッテリー４２０を覆うケース３００を滅菌処理しておくことにより、バッテリー４２０からの菌の飛散等を防止でき、治療（手術）時の衛生を確保することができる。また、バッテリー４２０の容量が無くなった場合若しくは少なった場合には、ケース３００ごと新たなバッテリー４２０に交換することにより、その交換作業が簡単となるとともに、バッテリー交換時の衛生を確保することもできる。なお、衛生上の観点からすると、ケース３００は、バッテリー４２０を密封できることが好ましい。
【００２０】
ケース３００（収納部３１０および蓋部３２０）は、例えば、綿、麻等の天然繊維、ナイロン、ポリエステル、アクリル、トリアセテート、ポリウレタン等の合成繊維等からなる織物、編物などの生地から構成することができる。また、ケース３００（収納部３１０および蓋部３２０）は、ポリエチレン、ポリプロピレン、ポリカーボネート、エポキシ樹脂、フェノール樹脂、シリコーン樹脂、ポリウレタン等の各種樹脂材料で構成することもできる。特に、ケース３００を上述のシリコーン樹脂やポリウレタン等の優れた衝撃吸収性を有する材料で構成することによって、バッテリー４２０を衝撃から保護することができる。そのため、例えば、不本意にケース３００が白衣本体２００から脱落し、床に落下した際のバッテリー４２０の破損、破壊を抑制することができる。なお、収納部３１０が面ファスナーのループ面と同様にして装着部２１３に装着することのできる生地（すなわち、装着部２１３のフックに絡みつく生地）で構成されている場合には、収納部３１０が係合部３３０を兼ねるため、係合部３３０を省略してもよい。
【００２１】
なお、ケース３００を装着部２１３に装着した状態におけるケーブル４３０の引き回しについては、特に限定されない。例えば、図２に示すように、本体４１０から延びるケーブル４３０がメガネのフレーム（図示しない）を伝って着用者の後頭部に引き回され、そこから着用者の背中を伝ってバッテリー４２０に接続されるように引き回すことができる。このような引き回しによれば、着用者の前方でケーブル４３０が垂れ下がることがないため、ケーブル４３０によって治療が阻害されるのを防止することができる。また、例えば治療台へのケーブル４３０の引っ掛かりも防止することができるため、安全に治療を行うことができる。
【００２２】
また、例えば、本体４１０から延びるケーブル４３０がメガネのフレームを伝って着用者の耳の後まで引き回され、そこから着用者の前方に垂れ下がり、胴体側面（すなわち脇腹）から背中に回り込んでバッテリー４２０に接続されるように引き回すこともできる。このような引き回しによれば、ケーブル４３０が耳の後ろまで引き回されているため、ケーブル４３０によって着用者の視野が遮られることがなく、安全に治療を行うことができる。
【００２３】
以上、白衣１００について説明した。このような白衣１００によれば、バッテリー４２０を白衣本体２００の後身頃２１２に装着することができるため、治療中にバッテリー４２０が邪魔にならず、また、腕９００の可動域の妨げにならないため、集中して歯科治療を行うことができる。そのため、歯科治療の安全性および精密性（正確性）が増す。特に、装着部２１３が後身頃２１２の腰部に設けられているため、ケース３００の着脱をより容易に行うことができる。
【００２４】
なお、本実施形態では、装着部２１３に面ファスナーのフック面を用い、係合部３３０に面ファスナーのループ面を用いたが、この逆であってもよい。すなわち、装着部２１３に面ファスナーのループ面を用い、係合部３３０に面ファスナーのフック面を用いてもよい。また、面ファスナーとしては、フック面とループ面を組み合わせたものに限定されず、例えば、装着部２１３および係合部３３０に、それぞれ、フックとループ両方が植え込まれたものを用いてもよい。また、いわゆるマッシュルームタイプ、クリックタイプ、シャークバイトタイプなどの面ファスナーを用いてもよい。
【００２５】
また、装着部２１３の配設箇所は、後身頃２１２の腰部に限定されず、例えば、後身頃２１２の裾部に設けてもよいし、肩部に設けてもよい。また、後身頃２１２の広範囲にわたって装着部２１３を設けてもよい。この場合には、帯状の装着部２１３を後身頃２１２の高さ方向に並べて複数設けてもよいし、面状に広がった装着部を後身頃２１２に設けてもよい。
【００２６】
また、装着部２１３は、後身頃２１２であって、白衣本体２００の側面（具体的には脇部および横腹部）に設けてもよい。このような場所も、バッテリー４２０やケーブル４３０が邪魔にならない場所であり、また、腕９００の可動域の妨げとならない場所である。したがって、上記と同様の効果を発揮することができる。なお、装着部２１３は、後身頃２１２と前身頃とに跨って設けられていてもよい。
【００２７】
＜第２実施形態＞
次に、本発明の衣類の第２実施形態について説明する。
図３は、本発明の第２実施形態に係る衣類を示す平面図（背面図）である。
【００２８】
以下、第２実施形態の衣類について、前述した第１実施形態との相違点を中心に説明し、同様の事項については、その説明を省略する。
【００２９】
第２実施形態の衣類は、白衣本体へのケースの装着方法が異なること以外は、第１実施形態とほぼ同様である。
【００３０】
図３に示すように、本実施形態の白衣本体２００Ａは、後身頃２１２の腰部に胴まわりに沿って延在する帯状の装着部２１３Ａが縫い付けられている。また、装着部２１３Ａには、後身頃２１２に縫い付けられていない箇所が、その延在方向に沿って複数設けられており、この各箇所がケース３００を引っ掛けるための引っ掛け部２１４Ａとして機能する。なお、引っ掛け部２１４Ａの数としては、特に限定されず、例えば、１つであってもよい。
【００３１】
ここで、本実施形態では、帯状の装着部２１３Ａの一部を後身頃２１２に縫い付けないことによって引っ掛け部２１４Ａを形成しているが、引っ掛け部２１４Ａの形成方法は、これに限定されず、例えば、後身頃２１２にループ（帯状体の両端部を縫い付けて輪状にしたもの）を形成し、このループを引っ掛け部２１４Ａとして用いてもよい。
【００３２】
一方、ケース３００Ａに設けられた係合部３３０Ａは、引っ掛け部２１４Ａに引っ掛けることのできるフック３３１Ａを有している。このフック３３１Ａを引っ掛け部２１４Ａに引っ掛けることによって、ケース３００Ａを白衣本体２００Ａに装着することができる。このような構成によれば、白衣本体２００Ａに対するケース３００Ａの着脱をより容易に行うことができる。
【００３３】
なお、本実施形態では、ケース３００Ａにフック３３１Ａが設けられており、バッテリー４２０をケース３００Ａに収容した状態で、フック３３１Ａを引っ掛け部２１４Ａに引っ掛ける構成について説明したが、例えば、バッテリー４２０にフックが設けられている場合には、ケース３００Ａを省略し、前記フックを用いてバッテリー４２０を引っ掛け部２１４Ａに直接引っ掛けてもよい。
【００３４】
このような第２実施形態によっても、前述した第１実施形態と同様の効果を奏することができる。
【００３５】
以上、図示の実施形態に基づいて本発明の衣類を説明したが、本発明は、これらに限定されるものでない。例えば、本発明の衣類では、各部の構成は、同様の機能を発揮する任意の構成のものに置換することができ、また、任意の構成を付加することもできる。また、前述の実施形態を適宜組み合わせてもよい。
【符号の説明】
【００３６】
１００…白衣（衣類）
２００、２００Ａ…白衣本体
２１０…身頃
２１２…後身頃
２１３、２１３Ａ…装着部
２１４Ａ…引っ掛け部
２２０、２３０…袖
２４０…襟
３００、３００Ａ…ケース
３１０…収納部
３２０…蓋部
３３０、３３０Ａ…係合部
３３１Ａ…フック
４００…照明装置
４１０…本体
４２０…バッテリー
４３０…ケーブル
９００…腕
【図１】
2014047453.tif 000003
【図２】
2014047453.tif 000004
【図３】
2014047453.tif 000005